(57)【要約】      （修正有）【課題】簡易に組み立てでき、オス端子部とメス端子部の間で外からの衝撃によって連接状態が壊れてしまうのを防止するコネクタを提供する。【解決手段】コネクタ１０は、マザーボード４とドーターボード２を連接し、第一連接部１２と第二連接部１４を含む。第一連接部は複数の端子１２２と掛合アーム１２４を含む。掛合アームは連接端を成形する。第二連接部は複数の端子槽１４２と掛合槽１４４を含む。掛合槽は掛合アームの連接端を結合する。第一連接部は第一角度で第二連接部を結合し、複数の端子で複数の端子槽を電気的に接続し、連接端で掛合アームが掛合される。更に複数の端子が複数の端子槽と電気的に接続されている状態において、外から力をかけて第一連接部と第二連接部の間の第一角度を第二角度に変更させることによって、第一連接部と第二連接部を同一平面に近づけて設置するか、もしくは同一平面に設置する。【選択図】図２
0003226007.tif 000002
【実用新案登録請求の範囲】
【請求項１】
マザーボードとドーターボードを連接し、
複数の端子と掛合アームを備え、前記複数の端子と前記掛合アームを納置するために第一納置空間を形成し、前記複数の端子の一端は前記ドーターボードに電気的に接続し、前記掛合アームは前記第一納置空間内部から前記第一納置空間の外部へ延び、且つ第一納置空間外部の前記掛合アームに連接端を成形する第一連接部と、
複数の端子槽と掛合槽を備え、前記複数の端子槽と前記掛合槽を納置するために第二納置空間を形成し、前記複数の端子槽の一端は前記マザーボードに電気的に接続し、更に前記複数の端子槽の別一端は前記複数の端子の別一端に電気的に接続され、前記掛合槽が前記連接端を結合する第二連接部と、を含むコネクタにおいて、
そのうち、前記第一連接部は第一角度で前記第二連接部に結合し、前記複数の端子を前記複数の端子槽に電気的に接続し、且つ前記複数の端子と前記複数の端子槽による電気的接続状態において、外から力をかけて前記第一連接部と前記第二連接部の間の前記第一角度を第二角度へ変更することで、前記第一連接部と前記第二連接部を同一平面に近づけて設置するか、もしくは同一平面に設置することを特徴とするコネクタ。
【請求項２】
前記連接端には、更に挿入斜面と出口斜面が成形され、前記挿入斜面は前記連接端の前縁に成形し、また前記出口斜面は前記連接端の後縁に成形し、前記挿入斜面が前記掛合槽に挿入される時、前記掛合アームは前記連接端を結合し、前記掛合アームは前記出口斜面から前記連接端への結合が解除されることを特徴とする請求項１記載のコネクタ。
【請求項３】
前記挿入斜面の面積は前記出口斜面の面積より小さくないことを特徴とする請求項２記載のコネクタ。
【請求項４】
前記掛合アームは、前記複数の端子の両側にそれぞれ設置し、前記連接端は前記複数の端子へ向け、且つ前記掛合槽は前記第二連接部の両側に設置して前記掛合アームを対応させることを特徴とする請求項２記載のコネクタ。
【請求項５】
前記連接端の数は二つで、前記掛合槽の外縁の距離は前記二つの連接端の最上部の間の距離より小さくないことを特徴とする請求項４記載のコネクタ。
【請求項６】
前記掛合アームは、前記複数端子のうちの任意の二つの間に設置して前記連接端は前記複数の端子に向け、且つ前記掛合槽は前記第二連接部の前記複数の端子槽の任意の二つの間に設置して前記掛合アームを対応させることを特徴とする請求項２記載のコネクタ。
【請求項７】
前記連接端の数は二つで、前記掛合槽の内縁の距離は、前記二つの連接端の最上部の間の距離より大きくないことを特徴とする請求項６記載のコネクタ。
【請求項８】
前記掛合槽は、更に出入口と回転開口を成形し、前記出入口は前記回転開口に連通し、前記出入口の開口は、前記複数の端子と前記掛合アームを前記第一角度で挿入と抜取りを行い、更に前記回転開口は前記連接端を納置することを特徴とする請求項２記載のコネクタ。
【請求項９】
前記出入口は、結合面を成形し、前記連接端を前記回転開口へ挿入するか、もしくは前記回転開口から取り出すことを特徴とする請求項８記載のコネクタ。
【請求項１０】
前記端子槽は、更に弾性部、接触部と固定部を成形し、前記弾性部は前記接触部と前記固定部の間に成形し、前記接触部は前記端子を連接し、前記弾性部は弾力で前記端子を元に戻し、前記固定部は前記端子槽を前記マザーボードに固定させることを特徴とする請求項１記載のコネクタ。
【請求項１１】
前記接触部は挟持式構造であり、前記端子を挟持することで、前記端子と前記接触部を電気的に接続することを特徴とする請求項１０記載のコネクタ。
【請求項１２】
前記連接端の形状は円柱体で、前記掛合槽の形状は円柱凹槽であることを特徴とする請求項１記載のコネクタ。
【請求項１３】
前記第二連接部は、別の第一連接部を連接するために、更に別の複数の端子槽と別の一掛合槽を含むことを特徴とする請求項１記載のコネクタ。
【考案の詳細な説明】
【技術分野】
【０００１】
本考案は、コネクタに関するもので、特に基板と基板を連接するコネクタに係る。
【背景技術】
【０００２】
従来、二枚のプリント基板は、コネクタを介して連接し、二枚のプリント基板の間で信号を伝送する。
【考案の概要】
【考案が解決しようとする課題】
【０００３】
解決しようとする問題点として、コネクタで二枚のプリント基板を連接するのは便利であるが、組立過程において、外からの衝撃に拠って落ちたり、または組立過程でコネクタの端子の位置合わせが困難で端子を壊してしまったりすることで、コネクタの電気特性に影響を与える点である。
【０００４】
公知のコネクタに依る欠点を改善するため、本考案はコネクタを提供する。
【課題を解決するための手段】
【０００５】
コネクタを提供し、それは第一連接部のオス端子(もしくはメス端子)形態と第二連接部のメス端子(もしくはオス端子)形態が連接することによって、多数枚のプリント基板を連接することを本考案の第一の目的とする。
【０００６】
前述のコネクタにおいて、掛合アームと掛合槽を提供し、掛合アームで掛合槽を結合することに拠って、第一連接部と第二連接部が安定して結合及び組立することを本考案の第二の目的とする。
【０００７】
前述のコネクタにおいて、掛合槽は出入口を提供し、端子と掛合アームを傾斜の第一角度で挿入と取外しさせることで、簡易な組立もしくは取外しを達成することを本考案の第三の目的とする。
【０００８】
前述のコネクタにおいて、掛合アームと掛合槽の構造により、第一連接部と第二連接部の連接過程で挿入が平滑にならない現象を解消することを本考案の第四の目的とする。
【０００９】
前述のコネクタにおいて、端子槽の弾性機構によって、第一連接部と第二連接部の浮動式連接を実現し、組立過程で押し過ぎが原因で第一連接部と第二連接部の電通特性が壊れてしまうのを防止することを本考案の第五の目的とする。
【００１０】
前述のコネクタにおいて、第二連接部は単辺、両辺もしくは多辺の端子槽と掛合槽を提供し、単辺、両辺もしくは多辺の端子と掛合アームを連接させることを本考案の第六の目的とする。
【００１１】
上述の目的とその他の目的を達成するため、本考案はマザーボードとドーターボードを連接するコネクタを提供する。コネクタは第一連接部と第二連接部を含む。第一連接部は複数の端子と掛合アームを含む。第一連接部は第一納置空間を形成して、そこに該複数の端子と掛合アームを納置する。該複数の端子の一端はドーターボードに電気的に接続する。掛合アームは第一納置空間内部から第一納置空間外部へ延び、且つ第一納置空間外部の掛合アームは連接端を成形する。第二連接部は複数の端子槽と掛合槽を含む。第二連接部は第二納置空間を形成して、そこに該複数の端子槽と掛合槽を納置する。該複数の端子槽の一端はマザーボードを電気的に接続し、該複数の端子槽の別一端は該複数の端子の別一端を電気的に接続し、掛合槽が連接端を結合する。そのうち第一連接部は第一角度で第二連接部を結合し、該複数の端子を該複数の端子槽に電気的に接続する。そして該複数の端子が通電して該複数の端子槽と電気的接続が維持されている状態において、外から力をかけて第一連接部と第二連接部の間の第一角度を第二角度に変更して、第一連接部と第二連接部を同一平面に近づけて設置するか、もしくは同一平面に設置する。
【考案の効果】
【００１２】
公知の技術との比較により、本考案が提供するコネクタは、オス端子部とメス端子部の組立で簡易に組み立てでき、オス端子部とメス端子部の間で外からの衝撃によって連接状態が壊れてしまうのを防止するという利点がある。本考案はオス端子部(もしくはメス端子部)を提供し、一つの角度でメス端子部(もしくはオス端子部)へ挿入し、例として狹小な組立空間でも設置できたり、また挿入完成の後、外から力を加えてオス端子部(もしくはメス端子部)の角度を変更し、オス端子部とメス端子部を同一平面で掛合させる。前述挿入動作の反対動作に拠って、オス端子部とメス端子部の結合状態の解除を達成する。
【図面の簡単な説明】
【００１３】
【図１】本考案の第一実施例のコネクタの構造指示図である。
【図２】図１のコネクタの俯瞰図である。
【図３Ａ】図１の掛合アームの構造指示図である。
【図３Ｂ】図１の掛合槽の構造指示図である。
【図３Ｃ】図１の掛合槽と連接端の結合指示図である。
【図４Ａ】図１の第一連接部と第二連接部の結合状態指示図である
【図４Ｂ】図１の第一連接部と第二連接部の結合状態指示図である。
【図５Ａ】図１の端子槽の側面断面図である。
【図５Ｂ】図１の端子槽の立体指示図である。
【図６】本考案の第二実施例のコネクタの構造指示図である。
【図７】本考案の第三実施例のコネクタの構造指示図である。
【考案を実施するための形態】
【００１４】
本考案の目的、特徴及び効果について理解するため、以下に具体的な実施例を挙げ、並びに附属の図式と共に、本考案を詳細に説明をする。 
【００１５】
本考案におけるユニット、部材、モジュールは、一もしくは一つと表すが、それらはただ、説明するだけを目的にしていて、且つ本考案の一般的意義に提供される。したがって、そうではないと明らかに示されてない場合を除き、この種の説明は、一つ、少なくとも一つを含み、且つ複数である場合を含むことを理解されたい。
【００１６】
本考案における「含む」や「備える」またそれらに類似する用語は、被排他的な包括物を 網羅していることを意味する。例えば、複数の要素を含むユニットや構造、製品、もしくは装置は 、本文に記載される要素に限らず、記載がないが当該ユニットや構造、製品、装置が通常、有しうる他の要素を包括することも出来る。これ以外に、特に記載がない場合を除き、本文中の「もしくは」という用語は包括的意味合いとして用いられ、排他的意味合いを具備しない。
【実施例１】
【００１７】
図１は、本考案の第一実施例のコネクタの構造指示図である。図１において、コネクタ１０はドーターボード２とマザーボード４を連接し、ドーターボード２とマザーボード４はプリント基板とする。注意点として、本実施例において、コネクタ１０は二つのドーターボード２を連接することを例として説明しているが、その他実施例で、コネクタ１０は一つのドーターボード２を連接する設計でも良い。
【００１８】
コネクタ１０は、第一連接部１２と第二連接部１４を含む。本実施例に於いて、第一連接部１２はオス端子形態で第二連接部１４はメス端子形態として説明するが、第一連接部１２と第二連接部１４が連接できればよい。
【００１９】
図２は、本考案の図１のコネクタの俯瞰図である。図２において、第一連接部１２は四個の端子１２２と二つ掛合アーム１２４を含む。第一連接部１２の内部は該複数の端子１２２と掛合アーム１２４を納置するため、第一納置空間を形成する。また該複数の端子１２２の一端はドーターボード２に電気的に接続してドーターボード２の電気信号を伝送する。例として該複数の端子１２２の一端は溶接等方式でドーターボード２に固定する。掛合アーム１２４の一端は第一納置空間内に固定し、別一端は第一納置空間内部から第一納置空間外部へ延びる。そのうち、第一納置空間外部の掛合アーム１２４は連接端１２４２(図３Ａ参照)を成形し、且つ連接端１２４２は端子１２２方向に延び、連接端１２４２を備えた掛合アーム１２４はＬ字型構造に類似する。本実施例に於いて、掛合アーム１２４は四個の端子１２２の両側に設置し、連接端１２４２の形状は円柱体でもよい。特に注意すべき点として、連接端１２４２は更に挿入斜面１２４４と出口斜面１２４６を含む。本実施例に於いて、挿入斜面１２４４は連接端１２４２の前縁に成形し、出口斜面１２４６は連接端１２４２の後縁に成形する。挿入斜面１２４４の面積を出口斜面１２４６の面積より大きくすることで、掛合槽１４４へスムーズに挿入しやすくなったり、掛合槽１４４から出しやすくなったりする。他に、挿入斜面１２４４と出口斜面１２４６の傾斜方向に基づき、掛合槽１４４の出入口１４４２を一致させ、連接端１２４２をどの角度で挿入もしくは取外しさせるかを決定する。
【００２０】
第二連接部１４は、四個の端子槽１４２と掛合槽１４４を含む。
【００２１】
第二連接部１４は四個の端子槽１４２と掛合槽１４４を納置するために、第二納置空間を形成する。図５Ａに示すのは、本考案の図１の端子槽の側面断面図である。図５Ａにおいて、四個の端子槽１４２の一端１４２６(固定部と称する)がマザーボード４にそれぞれ電気的に接続してマザーボード４の電気信号を伝送する。また四個の端子槽１４２の別一端１４２４(接触部と称する)は端子１２２の別一端をそれぞれ電気的に接続する。また端子槽１４２は、更に弾性部１４２２を備え、それは固定部１４２６と接触部１４２４の間に設置し、その弾性部１４２２形状は多曲面の湾曲形状であり、端子１２２と端子槽１４２を接触させた時、固定部１４２６の一端が浮動構造を形成して連接することで弾力を提供し連接しやすくする。本実施例において、図５Ｂに示すのは、本考案の図１の端子槽の立体指示図である。図５Ｂにおいて、接触部１４２４は挟持式構造(例としてＹ字形とする)であり、且つ挟持式構造はＺ軸方向の連接面積が比較的大きく、結合時に前述の挿入角度もしくは取外し角度の影響を受けにくく、言い換えると、角度を変更する過程においても、電気的に接続を維持することができる。
【００２２】
掛合槽１４４は、連接端１２４２を結合する。図３Ｂに示すのは、本考案の図１の掛合槽の構造指示図である。図３Ｂにおいて、掛合槽１４４の形状は円柱凹槽として説明し、円柱体の連接端１２４２が合わさるように成形する。仮に掛合槽１４４の外縁の距離が二つ連接端１２４２の最上部の間の距離よりも大きいか、もしくは同じである時、連接端１２４２は掛合槽１４４で制限を受ける。掛合槽１４４は出入口１４４２と回転開口１４４４が成形される。出入口１４４２は回転開口１４４４と連通する。出入口１４４２の開口から掛合アーム１２４を第一角度θ１で挿入と取外しさせる。言い換えると、掛合アーム１２４は傾斜挿入できる。回転開口１４４４によって回転空間を提供することで、連接端１２４２を納置する他に、円柱体の連接端１２４２が回転開口１４４４内で自在に回転する。図３Ｃに示すのは、本考案の図１の掛合槽と連接端の結合指示図である。図３Ｃにおいて、掛合槽１４４は他に結合面１４４６を成形することで連接端１２４２を回転開口１４４４へ挿入したり、回転開口１４４４から取外したりする。
【００２３】
図４Ａと図４Ｂに示すのは、本考案の図１の第一連接部と第二連接部の結合状態指示図である。そのうち、図４Ａでは第一連接部１２を第一角度θ１で出入口１４４２から挿入するのを表示したもので、回転開口１４４４へ挿入すると、第一連接部１２が掛合アーム１２４と掛合槽１４４によって第二連接部１４に結合され、四個の端子１２２が四個の端子槽１４２に電気的に接続し、連接端１２４２で掛合アーム１２４が掛合される。その他、四個の端子１２２と四個の端子槽１４２が電気的に接続されている状態で、外からの力を加えて、第一連接部１２と第二連接部１４の間の第一角度θ１を第二角度θ２に変更し、第一連接部１２と第二連接部１４を同一平面に近づけて設置するか、もしくは同一平面に設置する。
【実施例２】
【００２４】
図６に示すのは、本考案の第二実施例のコネクタの構造指示図である。図６において、コネクタ１０’は第一連接部１２’と第二連接部１４’を含み、第一実施例と異なるのは、掛合アーム１２４’と掛合槽１４４’の設置位置が異なる点である。
【００２５】
本実施例に於いて、掛合アーム１２４’は、中間の二つの端子１２２の間に設置され、連接端１２４２は端子１２２の方を向く。仮に掛合槽１４４’の二内縁の間の距離が二つの連接端１２４２の最上部の間の距離よりも小さいか、もしくは等しい場合、掛合アーム１２４’を掛合槽１４４’で制限する。
【実施例３】
【００２６】
図７に示すのは、本考案一第三実施例のコネクタの構造指示図である。図７において、コネクタ１０”では第二実施例で提示した第一連接部１２’と第二連接部１４’を備える。第二実施例と異なるのは、端子１２２の数について第二実施例の偶数(４個)から奇数(５個)に調整する。説明しやすいように、第二実施例の偶数の端子１２２タイプを対称端子と称し、第三実施例の奇数の端子１２２タイプを非対称端子と称する。しかしながら、対称端子の実施例、もしくは非対称端子の実施例に関わらず、掛合槽１４４’はどちらも第二連接部１４の両側(これは第一実施例に属する)に個々で設置されず、任意の二つの端子１２２の間に設置される。言い換えると、掛合槽１４４’は第二連接部１４中央の位置に設置されるか、もしくは片側どちらかと中央との間の位置に設置されるかに関わらず、全ては本考案の請求範囲に属するものとする。更に掛合アーム１２４’の位置は掛合槽１４４’に対応して設置する。
【００２７】
本考案の上述文は、比較的良好な実施例を提示したものであるが、それは、当領域に習熟した者が実施例を見て理解できるようにするためだけのものであり、本考案を制限するものではない。拠って、本実施例と同効果の変化及び修飾は、すべて本考案の請求範囲に含まれるものとする。本考案の保護範囲は、本考案の請求範囲を基準とする。
【符号の説明】
【００２８】
１０        コネクタ
１０’      コネクタ
１０”      コネクタ
１２        第一連接部
１２’      第一連接部
１２２        端子
１２４        掛合アーム
１２４’      掛合アーム
１２４２       連接端
１２４４       挿入斜面
１２４６       出口斜面
１４        第二連接部
１４’      第二連接部
１４２        端子槽
１４２２        弾性部
１４２４        接触部
１４２６        固定部
１４４        掛合槽
１４４’      掛合槽
１４４２        出入口
１４４４        回転開口
１４４６        結合面
２        ドーターボード
４        マザーボード
θ１    第一角度
θ２    第二角度 
【図１】
0003226007.tif 000003
【図２】
0003226007.tif 000004
【図３Ａ】
0003226007.tif 000005
【図３Ｂ】
0003226007.tif 000006
【図３Ｃ】
0003226007.tif 000007
【図４Ａ】
0003226007.tif 000008
【図４Ｂ】
0003226007.tif 000009
【図５Ａ】
0003226007.tif 000010
【図５Ｂ】
0003226007.tif 000011
【図６】
0003226007.tif 000012
【図７】
0003226007.tif 000013